(57)【要約】【課題】組立て時やメンテナンス作業時の作業性を低下させることなく、フラットケーブルを傷つけることを防止すること。【解決手段】電子部品が実装されたコントローラ基板６２と、コントローラ基板６２が装着される枠体７０と、コントローラ基板６２上のコネクタ６２ａに接続される第１フラットケーブル６４と、第１フラットケーブル６４の位置を規制するための第１ケーブルガイド６３と、枠体７０に配置され、枠体７０側で第１フラットケーブル６４を保持する第２ケーブルガイド６５と、を備え、第１ケーブルガイド６３は、第２ケーブルガイド６５に対して回動自在に保持されており、枠体７０に装着された第１の状態と、枠体７０から退避した第２の状態との間を、第２ケーブルガイド６５に対して回動することで移動可能である。【選択図】図５
2019015878.tif 000002
【特許請求の範囲】
【請求項１】
電子部品が実装された基板と、
前記基板が装着される筐体と、
前記基板上のコネクタに接続されるフレキシブルフラットケーブルと、
前記フレキシブルフラットケーブルの位置を規制するための第１ケーブルガイドと、
前記筐体に配置され、前記筐体側で前記フレキシブルフラットケーブルを保持する保持部材と、
を備え、
前記第１ケーブルガイドは、前記保持部材に対して回動自在に保持されており、前記筐体に装着された第１の状態と、前記筐体から退避した第２の状態との間を、前記保持部材に対して回動することで移動可能であることを特徴とする画像形成装置。
【請求項２】
前記基板は、前記画像形成装置の背面側に位置することを特徴とする請求項１に記載の画像形成装置。
【請求項３】
前記フレキシブルフラットケーブルによって伝送される信号上のノイズを除去するためのノイズ除去部材を備え、
前記第１ケーブルガイドは、前記ノイズ除去部材を保持するための保持形状を有することを特徴とする請求項１又は請求項２に記載の画像形成装置。
【請求項４】
前記第１ケーブルガイドは、被固定形状を有し、
前記保持部材は、前記第１ケーブルガイドが前記保持部材に対して回動して前記第１の状態から前記第２の状態となったときに、前記被固定形状の位置を保持するための固定形状を有することを特徴とする請求項１から請求項３のいずれか１項に記載の画像形成装置。
【請求項５】
前記保持部材は、前記筐体側で前記フレキシブルフラットケーブルの位置を規制する第２ケーブルガイドであることを特徴とする請求項４に記載の画像形成装置。
【請求項６】
前記被固定形状は、前記第１ケーブルガイドの一方の端部であり、
前記固定形状は、前記第２ケーブルガイドに形成された凸部であり、
前記第１ケーブルガイドが前記第１の状態から前記第２の状態に移動するときには、前記端部が前記凸部に当接してから乗り越えることで、前記第１のケーブルガイドが前記第２の状態に保持されることを特徴とする請求項５に記載の画像形成装置。
【請求項７】
感光体と、
前記感光体に潜像を形成する露光装置と、
前記画像形成装置を制御するコントローラと、
を備え、
前記フレキシブルフラットケーブルは、前記コントローラと前記露光装置とを接続する信号線であることを特徴とする請求項６に記載の画像形成装置。
【請求項８】
原稿の画像を読み取る読取装置と、
前記読取装置により読み取られた原稿の画像に基づき画像形成を行う画像形成部と、
前記画像形成装置を制御するコントローラと、
を備え、
前記フレキシブルフラットケーブルは、前記コントローラと前記読取装置とを接続する信号線であることを特徴とする請求項６に記載の画像形成装置。
【請求項９】
前記保持部材は、前記読取装置と前記画像形成部との間であって、前記筐体の前記読取装置側に設けられた板部であり、
前記被固定形状は、前記第１ケーブルガイドに設けられた凸部であり、
前記固定形状は、前記板部に形成された凹部であり、
前記第１のケーブルガイドが前記第１の状態から前記第２の状態に移動するときには、前記凸部が前記凹部に圧入されることで、前記第１のケーブルガイドが前記第２の状態に保持されることを特徴とする請求項８に記載の画像形成装置。
【発明の詳細な説明】
【技術分野】
【０００１】
本発明は、フラットケーブルを保持する構成に係る画像形成装置に関する。
【背景技術】
【０００２】
従来、フラットケーブルに対するケーブルガイドとして、次のような構成が提案されている。例えば、規制部によりケーブルの高さを規制し、規制部からコネクタまでの間で傾斜部によりケーブルを平坦部の高さまでガイドする。そして、平坦部によりケーブルを一定高さにガイドすることによって、ケーブル端部とコネクタとの間の位置を容易に合わせて、ケーブル端部をコネクタに滑らかに挿入することが提案されている（例えば、特許文献１参照）。
【先行技術文献】
【特許文献】
【０００３】
【特許文献１】特開２０１３−２３５１０９号公報
【発明の概要】
【発明が解決しようとする課題】
【０００４】
近年、フラットケーブルは傷や断線の防止のために、装置の筐体に対して固定されたガイド部材によって保持されている。メンテナンス等の作業時に、コントローラ基板は画像形成装置の筐体から外され、コントローラ基板に接続されていたフラットケーブルは筐体側に残される。コントローラ基板の取付位置近傍にガイド部材に保持されたフラットケーブルが位置しているため、再度、コントローラ基板を筐体に取り付ける際、意図せずフラットケーブルを取り付けるコントローラ基板と筐体の間に挟み込み、フラットケーブルが傷つき、信号線が断線してしまうおそれがある。
【０００５】
本発明は、このような状況のもとでなされたもので、組立て時やメンテナンス作業時の作業性を低下させることなく、フラットケーブルを傷つけることを防止することを目的とする。
【課題を解決するための手段】
【０００６】
上述した課題を解決するために、本発明は、以下の構成を備える。
【０００７】
（１）電子部品が実装された基板と、前記基板が装着される筐体と、前記基板上のコネクタに接続されるフレキシブルフラットケーブルと、前記フレキシブルフラットケーブルの位置を規制するための第１ケーブルガイドと、前記筐体に配置され、前記筐体側で前記フレキシブルフラットケーブルを保持する保持部材と、を備え、前記第１ケーブルガイドは、前記保持部材に対して回動自在に保持されており、前記筐体に装着された第１の状態と、前記筐体から退避した第２の状態との間を、前記保持部材に対して回動することで移動可能であることを特徴とする画像形成装置。
【発明の効果】
【０００８】
本発明によれば、組立て時やメンテナンス作業時の作業性を低下させることなく、フラットケーブルを傷つけることを防止することができる。
【図面の簡単な説明】
【０００９】
【図１】実施例１、２の画像形成装置の構成を示す図
【図２】実施例１、２の画像形成装置の全体図
【図３】実施例１のケーブルガイドの装着状態を示す斜視図
【図４】実施例１、２の画像形成装置を背面側から見た図
【図５】実施例１のケーブルガイドの離間状態を示す斜視図
【図６】実施例１のケーブルガイドの回動部を示す断面図
【図７】実施例２のケーブルガイドの装着状態を示す斜視図
【図８】実施例２のケーブルガイドの離間状態を示す斜視図
【図９】実施例２のケーブルガイドの回動部を示す詳細図
【図１０】実施例２のケーブルガイドの回動部を示す側面図
【図１１】実施例２のケーブルガイドの回動部を示す拡大図
【発明を実施するための形態】
【００１０】
以下、本発明を実施するための形態を、実施例により図面を参照しながら詳しく説明する。
【実施例１】
【００１１】
［画像形成装置］
実施例１のケーブルガイド及びそのケーブルガイドを備えた画像形成装置を説明する。図１は、画像形成装置１０の構成の概略を説明する断面図である。感光体である感光ドラム１１ａ、１１ｂ、１１ｃ、１１ｄは、それぞれイエロー、マゼンタ、シアン、ブラックの４色に対応する感光ドラムであり、添え字ａ、ｂ、ｃ、ｄはイエロー、マゼンタ、シアン、ブラックを表している。以下、特定の色の部材を説明する場合を除き、色を示す添え字を省略する。感光ドラム１１の周囲には、感光ドラム１１の表面を均一に帯電させる帯電装置１２、感光ドラム１１の帯電面に形成すべき画像情報に基づいて変調したレーザー光を出射する露光装置１３が配置されている。また、感光ドラム１１の周囲には、露光装置１３から出射されたレーザー光により感光ドラム１１の表面に形成された画像潜像を現像する現像装置１４、感光ドラム１１の表面に残留したトナーを清掃し回収するドラムクリーニング装置１５が配置されている。感光ドラム１１、帯電装置１２、現像装置１４、ドラムクリーニング装置１５は、色ごとに一体となっており、プロセスユニットＰ（Ｐａ、Ｐｂ、Ｐｃ、Ｐｄ）と呼ばれる。
【００１２】
感光ドラム１１の上部には、感光ドラム１１上のトナー像が転写される中間転写ベルト１６が配置されており、中間転写ベルト１６内には感光ドラム１１各々に対向する位置に１次転写ローラ１７が配置されている。中間転写ベルト１６の周囲には、中間転写ベルト１６の表面に残留したトナーを回収するベルトクリーニング装置１８が配置されている。
【００１３】
中間転写ベルト１６のベルトクリーニング装置１８とは反対側の、中間転写ベルト１６に対向する位置には、２次転写ローラ１９が配置されている。２次転写ローラ１９は、給紙装置２０から給紙された記録媒体Ｐｓが中間転写ベルト１６と２次転写ローラ１９との間の転写位置（以下、２次転写位置という）に搬送されるように構成されている。２次転写位置を通過した記録媒体Ｐｓの搬送方向における下流側には、定着装置２１、排出トレイ２２が配置されている。以上説明した画像形成装置１０の動作は、太い破線で示すコントローラ６０により制御される。ドラムクリーニング装置１５及びベルトクリーニング装置１８で回収されたトナーは、画像形成装置１０の前面に配置された細い破線で示す回収トナーボックス３０へと排出される。
【００１４】
次に、画像形成装置１０の動作の概略を説明する。感光ドラム１１は、駆動装置（不図示）により矢印Ａ方向（時計回り方向）に一定速度で回転する。帯電装置１２により均一に帯電された感光ドラム１１の表面には、露光装置１３から形成すべき画像情報に基づいて変調されたレーザー光が出射され、画像潜像が形成される。感光ドラム１１上の画像潜像は、現像装置１４の内部に装填されているトナーにより現像され、トナー像が形成される。
【００１５】
感光ドラム１１の矢印Ａ方向の回転により、感光ドラム１１上のトナー像が中間転写ベルト１６に転写される位置（以下、１次転写位置という）に到達すると、１次転写ローラ１７の作用により感光ドラム１１上のトナー像が中間転写ベルト１６に転写される。１次転写位置で中間転写ベルト１６上に転写されなかった感光ドラム１１上のトナーは、ドラムクリーニング装置１５により回収され、感光ドラム１１の表面は清掃されて次の画像形成に備える。回収されたトナーは、回収トナーボックス３０へと排出される。
【００１６】
中間転写ベルト１６は、駆動装置（不図示）により、矢印Ｂ方向（反時計回り方向）に一定速度で回転する。この回転により中間転写ベルト１６上のトナーが２次転写位置に搬送されてくるタイミングに合わせて、給紙装置２０から記録媒体Ｐｓが給紙され、２次転写位置では２次転写ローラ１９の作用により中間転写ベルト１６上のトナー像が記録媒体Ｐｓに転写される。２次転写位置で転写されなかった中間転写ベルト１６上のトナーは、ベルトクリーニング装置１８により回収され、中間転写ベルト１６の表面は清掃されて次の画像形成に備える。回収されたトナーは回収トナーボックス３０へと排出される。トナーが転写された記録媒体Ｐｓは、記録媒体Ｐｓ上の未定着のトナー像が定着装置２１により定着処理され、排出トレイ２２に排出される。
【００１７】
画像形成装置１０の上部には読取装置であるイメージスキャナ４０が配置されている。イメージスキャナ４０は原稿の画像を読み取り、例えば、読み取った画像の情報を画像形成装置１０のコントローラ６０に出力する。また、画像形成装置１０には、点線で示す操作パネル５０が配置されており、ユーザーは操作パネル５０を用いて画像形成装置１０やイメージスキャナ４０を操作したり、画像形成装置１０やイメージスキャナ４０の状態を、表示された情報により知ることができる。
【００１８】
図２は、実施例１の画像形成装置１０の全体外観図である。画像形成装置１０の前面（Ｆｒｏｎｔ）、背面（Ｒｅａｒ）、右（Ｒｉｇｈｔ）、左（Ｌｅｆｔ）、上（Ｔｏｐ）、下（Ｂｏｔｔｏｍ）は、図２に示すとおりである。ユーザーは、操作パネル５０を用いて使用する画像形成装置１０の機能を選択する。例えば、コピーを選択した場合は、複写枚数、拡大／縮小、濃度、両面／片面、カラー／白黒、給紙するカセットや用紙サイズの選択、ステープル等の後処理の有無等が選択される。ユーザーにより、これらが選択され、コピー元となる原稿がイメージスキャナ４０に置かれた状態で、操作パネル５０のスタートボタンが押下されると、イメージスキャナ４０により原稿の画像が読み込まれる。イメージスキャナ４０により読み込まれた原稿の画像の情報は、コントローラ６０に送信されて画像形成用の信号に変換され、前述の画像形成処理が行われる。
【００１９】
次に、プリントジョブが選択され指示された場合、パーソナルコンピュータ等からの外部入力が直接コントローラ６０に入力される。コントローラ６０に入力された画像の情報は、画像形成用の信号に変換され、前述の画像形成処理が行われる。画像が形成された記録媒体Ｐｓは、排出トレイ２２に積載される。
【００２０】
［ケーブルガイド］
次に、実施例１のケーブルガイドについて図３を用いて説明する。図３は露光装置１３とコントローラ６０とを電気的に接続する第１フラットケーブル６４と、第１フラットケーブル６４をガイドする第１ケーブルガイド６３とが、コントローラ６０に装着された第１の状態の斜視図である。図３に示すように、画像形成装置１０の背面側（Ｒｅａｒ）が手前になるように描画されている。コントローラ６０は、画像形成装置１０の背面側からメンテナンスを行う作業者がアクセス可能なように配置されている。コントローラ６０は、シールドケース６１とシールドケース６１内部に収容されたコントローラ基板６２、コントローラ基板６２に接続される各種束線とそのガイド部材等で形成される。コントローラ基板６２（基板）には、種々の電子部品が実装されている。
【００２１】
シールドケース６１は、シールドケース蓋（不図示）によって、コントローラ基板６２の正面の開口をシールドされる。シールドケース６１は筐体である枠体７０に装着されており、画像形成装置１０の背面側に位置している。なお、シールドケース６１を設けずにコントローラ基板６２を画像形成装置１０の背面に配置する構成にしても良い。図４は画像形成装置１０を背面側から見た図である。図４（ａ）はシールドケース６１がある場合を示す図であり、図４（ｂ）はシールドケースがない場合を示す図である。
【００２２】
第１ケーブルガイド６３は、露光装置１３とコントローラ基板６２とを電気的に接続する第１フラットケーブル６４のためのガイド部材のうち、シールドケース６１内（シールドケース内）に配置されるガイドである。一方、第２ケーブルガイド６５は、シールドケース６１の外の枠体７０に配置されるガイドである。保持部材である第２ケーブルガイド６５は、枠体７０側（筐体側）で第１フラットケーブル６４の位置を規制する。露光装置１３を出た第１フラットケーブル６４は、第２ケーブルガイド６５及び第１ケーブルガイド６３にガイドされ、コントローラ基板６２上（基板上）のコネクタ６２ａに接続される。
【００２３】
第１ケーブルガイド６３上の第１フラットケーブル６４は、ケーブル規制部材６３ａ１、６３ａ２、６３ａ３によって第１ケーブルガイド６３からの浮きが規制される。また、第１フラットケーブル６４上の信号に生じるノイズを低減するため、第１フラットケーブル６４はコネクタ６２ａの手前（露光装置１３側）で、ノイズ除去部材であるフェライトコア６６を通される。フェライトコア６６は、第１ケーブルガイド６３の下面側に設けられた保持形状である窪み６３ｂに保持される。窪み６３ｂによってフェライトコア６６は左右方向の移動が規制され、フェライトコア６６は第１ケーブルガイド６３からの落下が抑制される。実施例１では、窪み６３ｂによってフェライトコア６６の位置を規制したが、上面側にも壁を設け、フェライトコア６６を軽圧入する構成や、抜け止めの爪等を設ける構成等によって、より強固にフェライトコア６６の位置を規制することができる。第１ケーブルガイド６３は、引っ掛け形状６３ｃ１、６３ｃ２（図５参照）とスナップフィット６３ｄによってシールドケース６１に固定される。
【００２４】
次に、第１ケーブルガイド６３が回動し、コントローラ６０から退避する過程について図５、図６を用いて説明する。図５は第１ケーブルガイド６３がコントローラ６０から退避した第２の状態の斜視図、図６は回動軸部分の断面図であり、図６（ａ）が第１の状態、図６（ｂ）が第２の状態を示す。図５の矢印Ｃに示すように第１ケーブルガイド６３が回動して図３の第１の状態から図５の第２の状態となる。図５は、画像形成装置１０の背面側（Ｒｅａｒ）が手前になるように描画されている。コントローラ６０は、画像形成装置１０の背面側からアクセス可能なように配置されている。
【００２５】
第１ケーブルガイド６３に設けられた第１軸６３ｅは、第２ケーブルガイド６５に設けられた第２軸受６５ａによって回動可能に保持されている。第１フラットケーブル６４がコネクタ６２ａから抜かれ、スナップフィット６３ｄが外された第１ケーブルガイド６３は、第１軸６３ｅを中心に回動することで移動可能である。第１軸６３ｅを中心に回動した第１ケーブルガイド６３は、図５に示した第２の状態に至る。このとき、第１フラットケーブル６４とフェライトコア６６は、第１ケーブルガイド６３によって保持された状態であり、第１ケーブルガイド６３と一体的にコントローラ６０から退避することができる。
【００２６】
第２ケーブルガイド６５は、第１ケーブルガイド６３が第２ケーブルガイド６５に対して回動して第１の状態から第２の状態となったときに、被固定形状６３ｆの位置を保持するための固定形状６５ｂを有する。図６に示すように、第１ケーブルガイド６３には被固定形状６３ｆ、第２ケーブルガイド６５には固定形状６５ｂがそれぞれ設けられている。被固定形状６３ｆは、第１ケーブルガイド６３の一方の端部である。固定形状６５ｂは、第２ケーブルガイド６５に形成された凸部である。第１ケーブルガイド６３が第１の状態から第２の状態に移動するときには、第１ケーブルガイド６３の一方の端部が第２ケーブルガイド６５の凸部に当接してから乗り越えることで、第１ケーブルガイド６３が第２の状態に保持される。被固定形状６３ｆは、第１の状態（図６（ａ））から第２の状態（図６（ｂ））に移動する過程で、固定形状６５ｂに当接し固定形状６５ｂを乗り越える。第２の状態から第１の状態に戻るためには再び被固定形状６３ｆが固定形状６５ｂを乗り越える必要があるため、意図的に操作しない限り第１ケーブルガイド６３を第２の状態で維持することができる。
【００２７】
以上のように、実施例１では、第１ケーブルガイド６３を枠体７０に設けられた第２ケーブルガイド６５によって回動自在に保持し、第１ケーブルガイド６３上に第１フラットケーブル６４とフェライトコア６６を保持する構成とする。これにより、コントローラ６０を取り外す際に外した第１フラットケーブル６４が、第１ケーブルガイド６３の自重によって折れ曲がり、信号線を傷つけることを防止できる。また、第１ケーブルガイド６３を第２の状態で保持することによって、第１フラットケーブル６３をコントローラ６０の取付位置から退避させることができる。このため、コントローラ６０を取り付ける際に意図せずコントローラ６０と画像形成装置１０の筐体とによって第１フラットケーブル６４が挟まれることによる第１フラットケーブル６４の破損（傷・断線）を防止できる。また、シールドケース６１を設けずにコントローラ基板６２を画像形成装置１０の背面に配置した構成においても同様の効果が期待できる。例えば、コントローラ基板６２を画像形成装置１０に取り付ける際に、実施例１の構成によればコントローラ基板６２の取付位置から第１フラットケーブル６３を退避させることができる。このため、第１フラットケーブル６３の端部がコントローラ基板６２と画像形成装置１０とよって第１フラットケーブル６４が挟まれることによる第１フラットケーブル６４の破損（傷・断線）を防止できる。なお、第１フラットケーブル６３の端部とは、特に、コントローラ基板６２のコネクタに接続する端子部分を指す。
【００２８】
なお、実施例１では、タンデム式のカラー電子写真画像形成装置について述べたが、これ以外の電子写真方式、インクジェット等の他方式の画像形成装置に対しても、実施例１の構成は適用可能である。以上、実施例１によれば、組立て時やメンテナンス作業時の作業性を低下させることなく、フラットケーブルを傷つけることを防止することができる。
【実施例２】
【００２９】
実施例２におけるケーブルガイドについて図７を用いて説明する。図７は、第１の状態を示す斜視図である。図７は、イメージスキャナ４０とコントローラ６０とを電気的に接続する第２フラットケーブル４１ａ、４１ｂと、第２フラットケーブル４１ａ、４１ｂをガイドする第３ケーブルガイド６７（第１ケーブルガイド）とが、コントローラ６０に装着されている。なお、第２フラットケーブル４１ａ、４１ｂは、フレキシブルフラットケーブルである。図７に示すように、画像形成装置１０の背面側（Ｒｅａｒ）が手前になるように描画されている。コントローラ６０は、シールドケース６１とシールドケース６１内部に配置されたコントローラ基板６２、コントローラ基板６２に接続される各種束線とそのガイド部材等で形成される。シールドケース６１は、シールドケース蓋（不図示）によってコントローラ基板６２の正面の開口がシールドされる。
【００３０】
第３ケーブルガイド６７は、イメージスキャナ４０とコントローラ基板６２とを電気的に接続する第２フラットケーブル４１ａ、４１ｂのために、シールドケース６１内に配置されるガイド部材である。上面板８０は、画像形成ユニットの画像形成部分とイメージスキャナ４０との間、枠体７０の上面に配置された外装部材である。保持部材である上面板８０は、枠体７０側で第２フラットケーブル４１ａ、４１ｂの位置を規制する。イメージスキャナ４０を出た第２フラットケーブル４１ａ、４１ｂは、上面板８０、第３ケーブルガイド６７にガイドされ、コントローラ基板６２上のコネクタ６２ｂ、６２ｃに接続される。なお、実施例２においても、第２フラットケーブル４１ａ、４１ｂによって伝送される信号上のノイズを除去するフェライトコアを有してもよい。そして、第３ケーブルガイド６７にフェライトコアの左右方向の移動を規制する窪みや、フェライトコアが圧入される抜け止め等の爪を設ける構成としてもよい。
【００３１】
第３ケーブルガイド６７上の第２フラットケーブル４１ａ、４１ｂは、ケーブル規制部材６７ａ１、６７ａ２、６７ａ３、６７ａ４によって、第３ケーブルガイド６７からの第２フラットケーブル４１ａ、４１ｂの浮きが規制される。第３ケーブルガイド６７は、引っ掛け形状６７ｃ１、６７ｃ２、６７ｃ３とスナップフィット６７ｄ１、６７ｄ２によって、シールドケース６１に固定される（図８参照）。
【００３２】
次に、第３ケーブルガイド６７が回動し、コントローラ６０から退避する過程について図８、図９を用いて説明する。図８は第３ケーブルガイド６７がコントローラ６０から退避した第２の状態の斜視図、図９は回動軸部分の詳細図であり、図９（ａ）が第１の状態、図９（ｂ）が第２の状態を示す。図８の矢印Ｄに示すように第３ケーブルガイド６７が図７の第１の状態から回動して図８の第２の状態となる。また、図１０は図９の矢印Ｅ方向から見た図であり、図１０（ａ）は図９（ａ）に、図１０（ｂ）は図９（ｂ）にそれぞれ対応している。
【００３３】
第３ケーブルガイド６７に設けられた第２軸受６７ｅ１、６７ｅ２は、上面板８０に設けられた第２軸８０ａによって回動自在に保持されている。第２フラットケーブル４１ａ、４１ｂがコネクタ６２ｂ、６２ｃから抜かれ、スナップフィット６７ｄ１、６７ｄ２が外された第３ケーブルガイド６７は、第２軸受６７ｅ１、６７ｅ２を中心に回動することができる。回動した第３ケーブルガイド６７は、図８に示した第２の状態に至る。このとき、第２フラットケーブル４１ａ、４１ｂは、第３ケーブルガイド６７によって保持された状態であり、第３ケーブルガイドと一体的にコントローラ６０から退避することができる。
【００３４】
上面板８０は、第３ケーブルガイド６７が上面板８０に対して回動して第１の状態から第２の状態となったときに、被固定形状６７ｆの位置を保持するための固定形状８０ｂを有する。図９に示すように、第３ケーブルガイド６７には被固定形状６７ｆ、上面板８０には固定形状８０ｂがそれぞれ設けられている。上面板８０は、イメージスキャナ４０と画像形成部との間であって、枠体７０のイメージスキャナ４０側（読取装置側）に設けられた板部である。被固定形状６７ｆは、第３ケーブルガイド６７に設けられた凸部であり、固定形状８０ｂは、上面板８０（板部）に形成された凹部である。第３ケーブルガイド６７が第１の状態から第２の状態に移動するときには、第３のケーブルガイド６７の凸部が上面板８０の凹部に圧入することで、第３ケーブルガイド６７が第２の状態に保持される。被固定形状６７ｆは、第１の状態（図９（ａ））から第２の状態（図９（ｂ））に移動すると、固定形状８０ｂに軽圧入した状態で当接する。第２の状態から第１の状態に戻るためには被固定形状６７ｆの固定形状８０ｂへの軽圧入状態を外す必要があるため、意図的に操作しない限り第３ケーブルガイド６７を第２の状態で保持することができる。
【００３５】
図１１を用いてより詳細に説明する。第３ケーブルガイド６７を上側（矢印Ｄ方向）に回動させると、固定形状８０ｂに対して第３ケーブルガイド６７の被固定形状６７ｆが突き当たる。そうすると、第３ケーブルガイド６７は、それ以上、上方（矢印Ｄ方向）に回動できない状態となる。これとともに、図１１に示す第３ケーブルガイド６７のＷの部分が、第２軸８０ａと被固定形状６７ｆとの間に嵌合した状態となる。そのため、作業者が第３ケーブルガイド６７から手を離しても、図１０（ｂ）に示すような、第３ケーブルガイド６７が上方に上がった状態が維持される。
【００３６】
以上のように、実施例２では、第３ケーブルガイド６７を枠体７０に設けられた上面板８０によって回動自在に保持し、第３ケーブルガイド６７上に第２フラットケーブル４１ａ、４１ｂを保持する構成とする。これにより、コントローラ６０を取り外す際に外した第２フラットケーブル４１ａ、４１ｂが第３ケーブルガイド６７の自重によって折れ曲がり、信号線を傷つけることを防止できる。また、第３ケーブルガイド６７を第２の状態で維持することによって、コントローラ６０を取り付ける際に意図せず第３ケーブルガイド６７や第２フラットケーブル４１ａ、４１ｂを挟み込むことによる破損を防止できる。
【００３７】
実施例２でも、タンデム式のカラー電子写真画像形成装置について述べたが、これ以外の電子写真方式、インクジェットの他方式の画像形成装置に対しても実施例２の構成は適用可能である。以上、実施例２によれば、組立て時やメンテナンス作業時の作業性を低下させることなく、フラットケーブルを傷つけることを防止することができる。
【符号の説明】
【００３８】
６２      コントローラ基板
６３      第１ケーブルガイド
６４      第１フラットケーブル
６５      第２ケーブルガイド
７０      枠体
【図１】
2019015878.tif 000003
【図２】
2019015878.tif 000004
【図３】
2019015878.tif 000005
【図４】
2019015878.tif 000006
【図５】
2019015878.tif 000007
【図６】
2019015878.tif 000008
【図７】
2019015878.tif 000009
【図８】
2019015878.tif 000010
【図９】
2019015878.tif 000011
【図１０】
2019015878.tif 000012
【図１１】
2019015878.tif 000013